(57)【要約】【課題】患者の薬の服用状況について、患者の家族や介護者が情報共有できる薬服用リマインドシステムを提供する。【解決手段】薬服用リマインドシステム１０は、薬品情報と服用情報を含む処方情報が患者のメールアドレスと関連付けて登録された登録ＤＢ１２を備えている。薬服用リマインドシステム１０は、処方情報に関連付けられたメールアドレスに、当該患者のマイページのＵＲＬアドレスの情報を含む利用開始登録の案内メールを送信する。マイページにおいて、患者以外の人の第２メールアドレスが設定されたとき、薬服用リマインドシステム１０は第２メールアドレスに利用確認メールを送信し、利用承認メールが返信されたとき、服用通知メールの配信先として第２メールアドレスを登録する。【選択図】図１
2015207071.tif 000002
【特許請求の範囲】
【請求項１】
患者に薬の服用をリマインドする薬服用リマインドシステムであって、
薬品を特定する薬品情報と服用形態を特定する服用情報とを少なくとも含む、患者の処方情報が、前記患者のメールアドレスと関連付けて登録された登録データベースを備えており、
前記登録データベースに登録された処方情報に関連付けられたメールアドレスに、当該患者のマイページのＵＲＬアドレスの情報を含む利用開始登録の案内メールを送信し、
前記マイページに入力された利用開始登録情報を受けて、服用通知の対象となる薬品と服用通知メールを送信するメールアドレスとを特定するリマインド情報を、前記処方情報と関連付けて設定し、
前記リマインド情報に従ってメール配信予約データを生成し、服用通知メールを配信するものであり、
前記マイページは、当該患者以外の人のメールアドレスである第２メールアドレスに服用通知メールを配信するよう、設定可能であり、
前記薬服用リマインドシステムは、前記マイページにおいて前記第２メールアドレスに服用通知メールを配信するよう設定されたとき、前記第２メールアドレスに利用確認メールを送信し、利用承認メールが返信されたとき、前記第２メールアドレスを、服用通知メールを送信するメールアドレスとして前記リマインド情報に登録する
ことを特徴とする薬服用リマインドシステム。
【請求項２】
請求項１記載の薬服用リマインドシステムにおいて、
服用通知メールを配信した患者から、服用完了の通知を受けたとき、前記第２メールアドレスに、服用完了を通知するメールを配信する
ことを特徴とする薬服用リマインドシステム。
【請求項３】
請求項１記載の薬服用リマインドシステムにおいて、
前記マイページは、前記処方情報に含まれた薬品のうち、服用通知メールの配信を希望しない薬品を選択できるよう、構成されており、
前記薬服用リマインドシステムは、前記マイページにおいて服用通知メールの配信を希望しないものとして選択された薬品は、前記リマインド情報において、服用通知の対象となる薬品から外す
ことを特徴とする薬服用リマインドシステム。
【請求項４】
患者に薬の服用をリマインドする薬服用リマインドシステムであって、
調剤薬局にある端末装置からネットワークを介して送信された、薬品を特定する薬品情報と服用形態を特定する服用情報とを少なくとも含む、患者の処方情報を受信し、
受信した処方情報を、ランダムに発生させた仮キーと関連付けて仮登録し、
前記仮キーと、前記薬服用リマインドシステムへのメール送付先アドレスとを含む情報コードを発行し、前記端末装置にネットワークを介して送信し、
前記患者の持つ情報装置から送信された、前記仮キーを含む空メールを受信し、
前記仮キーを廃棄し、前記仮キーと関連付けて仮登録されている前記処方情報を、前記空メールの送付元メールアドレスと関連付けて、登録データベースに登録する
ことを特徴とする薬服用リマインドシステム。
【請求項５】
請求項４記載の薬服用リマインドシステムにおいて、
前記端末装置は、処方箋に印刷された情報コードを読み取ることによって処方情報を入力し、前記薬服用リマインドシステムに送信し、
前記薬服用リマインドシステムは、受信した処方情報から、前記患者の個人情報の全てまたは一部を破棄して、前記仮登録を行う
ことを特徴とする薬服用リマインドシステム。
【発明の詳細な説明】
【技術分野】
【０００１】
本発明は、患者に薬の服用をリマインドするシステムに関する。
【背景技術】
【０００２】
従来から、薬を処方された患者が薬の服用を忘れないように、服用を催促したりして薬剤の服用を管理するシステムに関して、いくつかの提案がなされている。例えば、特許文献１では、処方箋に記載された薬剤の服用に関して、服用が必要とされる日時に服用のお知らせメールを送信したり、あるいは、来院のお知らせメールを送信したりする処方箋運用管理システムが開示されている。
【先行技術文献】
【特許文献】
【０００３】
【特許文献１】特開２００７−１２２１８３号公報
【発明の概要】
【発明が解決しようとする課題】
【０００４】
患者に薬の服用をリマインドするサービスでは、患者が例えば高齢者である場合には、家族や介護者などの患者以外の人が、患者の薬の服用状態に関して情報を共有できることが好ましい、と考えられる。これにより、利用者の利便性が高まり、また、家族などの安心感も得られる。
【０００５】
また、薬服用リマインドサービスでは、患者の処方情報を管理する必要があるが、個人情報保護の観点から、処方情報のセキュリティは十分に保たれていることが望まれる。例えば、万一、処方情報が外部に漏洩したとしても、それが特定の個人と結びつかないようになっていることが好ましい。
【０００６】
本発明は、患者の薬の服用状況について、患者の家族や介護者などが容易に情報共有できる薬服用リマインドシステムを提供することを目的とする。また、薬服用リマインドシステムにおいて、処方情報のセキュリティを高めることを目的とする。
【課題を解決するための手段】
【０００７】
本発明の一態様では、患者に薬の服用をリマインドする薬服用リマインドシステムは、  薬品を特定する薬品情報と服用形態を特定する服用情報とを少なくとも含む、患者の処方情報が、前記患者のメールアドレスと関連付けて登録された登録データベースを備えており、前記登録データベースに登録された処方情報に関連付けられたメールアドレスに、当該患者のマイページのＵＲＬアドレスの情報を含む利用開始登録の案内メールを送信し、前記マイページに入力された利用開始登録情報を受けて、服用通知の対象となる薬品と服用通知メールを送信するメールアドレスとを特定するリマインド情報を、前記処方情報と関連付けて設定し、前記リマインド情報に従ってメール配信予約データを生成し、服用通知メールを配信するものであり、前記マイページは、当該患者以外の人のメールアドレスである第２メールアドレスに服用通知メールを配信するよう、設定可能であり、前記薬服用リマインドシステムは、前記マイページにおいて前記第２メールアドレスに服用通知メールを配信するよう設定されたとき、前記第２メールアドレスに利用確認メールを送信し、利用承認メールが返信されたとき、前記第２メールアドレスを、服用通知メールを送信するメールアドレスとして前記リマインド情報に登録する。
【０００８】
この態様によると、薬服用リマインドシステムは、登録データベースに登録された処方情報に関連付けられたメールアドレスに、当該患者のマイページのＵＲＬアドレスの情報を含む利用開始登録の案内メールを送信する。そして、マイページに入力された利用開始登録情報を受けて、服用通知の対象となる薬品と服用通知メールを送信するメールアドレスとを特定するリマインド情報を、処方情報と関連付けて設定し、リマインド情報に従ってメール配信予約データを生成し、服用通知メールを配信する。さらに薬服用リマインドシステムは、マイページにおいて患者以外の人の第２メールアドレスに服用通知メールを配信するよう設定されたとき、この第２メールアドレスに利用確認メールを送信し、利用承認メールが返信されたとき、この第２メールアドレスを、服用通知メールを送信するメールアドレスとしてリマインド情報に登録する。これにより、薬の服用通知メールが、患者自身が許可した患者以外の人にも通知されることになり、患者の薬の服用状況について、プライバシーを保護しつつ、患者の家族や介護者などで情報共有することが容易になる。
【０００９】
また、前記薬服用リマインドシステムは、服用通知メールを配信した患者から、服用完了の通知を受けたとき、前記第２メールアドレスに、服用完了を通知するメールを配信するようにしてもよい。
【００１０】
これにより、患者自身が許可した患者以外の人に、患者が薬を服用したことが通知されるので、患者の薬の服用状況について、プライバシーを保護しつつ、患者の家族や介護者などで情報共有することが容易になる。
【００１１】
また、前記薬服用リマインドシステムにおいて、前記マイページは、前記処方情報に含まれた薬品のうち、服用通知メールの配信を希望しない薬品を選択できるよう構成されており、前記薬服用リマインドシステムは、前記マイページにおいて服用通知メールの配信を希望しないものとして選択された薬品は、前記リマインド情報において、服用通知の対象となる薬品から外してもよい。
【００１２】
これにより、リマインドサービスを利用する薬品を選択することができるので、患者の利便性が高い。
【００１３】
本発明の一態様では、患者に薬の服用をリマインドする薬服用リマインドシステムは、  調剤薬局にある端末装置からネットワークを介して送信された、薬品を特定する薬品情報と服用形態を特定する服用情報とを少なくとも含む、患者の処方情報を受信し、受信した処方情報を、ランダムに発生させた仮キーと関連付けて仮登録し、前記仮キーと、前記薬服用リマインドシステムへのメール送付先アドレスとを含む情報コードを発行し、前記端末装置にネットワークを介して送信し、前記患者の持つ情報装置から送信された、前記仮キーを含む空メールを受信し、前記仮キーを廃棄し、前記仮キーと関連付けて仮登録されている前記処方情報を、前記空メールの送付元メールアドレスと関連付けて、登録データベースに登録する。
【００１４】
この態様によると、薬服用リマインドシステムは、調剤薬局にある端末装置から送信された処方情報を、ランダムに発生させた仮キーと関連付けて仮登録し、仮キーとメール送付先アドレスとを含む情報コードを端末装置に送信する。そして、患者の持つ情報装置から送信された仮キーを含む空メールを受信し、仮キーを廃棄し、仮キーと関連付けて仮登録されている処方情報を空メールの送付元メールアドレスと関連付けて、登録データベースに登録する。すなわち、処方情報を患者のメールアドレスと関連付けて登録データベースに登録する処理が、仮キーを媒介にして行われる。したがって、登録処理の過程で仮に処方情報が漏洩したとしても、この処方情報に関わる個人が特定される可能性はなく、処方情報のセキュリティは保たれる。
【００１５】
また、前記薬服用リマインドシステムにおいて、前記端末装置は、処方箋に印刷された情報コードを読み取ることによって処方情報を入力し、前記薬服用リマインドシステムに送信し、前記薬服用リマインドシステムは、受信した処方情報から、前記患者の個人情報の全てまたは一部を破棄して、前記仮登録を行うようにしてもよい。
【００１６】
これにより、処方箋に印刷された情報コードから処方情報を読み取る場合であっても、薬服用リマインドシステムにおいて個人情報が破棄して仮登録されるので、処方情報のセキュリティは保たれる。
【発明の効果】
【００１７】
本発明によると、薬の服用通知メールが、患者自身が許可した患者以外の人にも通知されるため、患者の薬の服用状況について、プライバシーを保護しつつ、患者の家族や介護者で情報共有することが容易になる。また、登録処理の過程で処方情報に関わる個人が特定される可能性はなく、処方情報のセキュリティは保たれる。
【図面の簡単な説明】
【００１８】
【図１】実施の形態に係る薬服用リマインドシステムを含む全体構成図
【図２】処方情報の登録処理の流れを示すフロー図
【図３】登録ＤＢに登録された処方情報の一例
【図４】薬服用リマインド処理の流れを示すフロー図
【図５】利用開始登録を行うマイページの画面例
【図６】（ａ），（ｂ）は薬服用リマインドシステムに設定されたリマインド情報の例
【図７】（ａ）は患者に送信する登録完了メールの例、（ｂ）は患者の家族などに送信する利用開始メールの例
【図８】メール配信予約データの一例
【図９】（ａ）は患者に送信する服用通知メールの例、（ｂ）は患者の家族などに送信する服用通知メールの例、（ｃ）は患者の家族などに送信する服用完了メールの例
【発明を実施するための形態】
【００１９】
以下、本発明の実施の形態について、図面を参照して説明する。
【００２０】
図１は実施の形態に係る薬服用リマインドシステムを含む全体構成のイメージ図である。図１において、薬服用リマインドシステム１０は、例えばインターネットなどのネットワーク１を介して調剤薬局にある端末装置２０と通信可能なように構成されている。また、患者（利用者）が持つフィーチャーフォンやスマートフォンなどの情報機器２２や、患者の家族や介護者が持つフィーチャーフォンやスマートフォンなどの情報機器２４とも、ネットワーク１を介して通信可能なように構成されている。
【００２１】
薬服用リマインドシステム１０は、リマインド管理装置１１とメール発行装置１３とを備えている。リマインド管理装置１１は各患者の薬服用に関するリマインド処理を管理する装置であって、各患者の処方情報が登録される登録データベース（ＤＢ）１２を備えている。登録ＤＢ１２に登録される処方情報は、当該患者が服用する薬品を特定する薬品情報と、その服用形態（例：毎食後３錠ずつ）を特定する服用情報とを少なくとも含む。処方情報は、当該患者のメールアドレスと関連付けて登録ＤＢ１２に登録される。メール発行装置１３は、リマインド管理装置１１からの指示を受けて、各患者に服用通知メールを配信する。なお、メール発行装置１３をリマインド管理装置１１と別個に設けているのは、大量のメールを配信することを想定しているためであり、リマインド管理装置１１自体が服用通知メールなどの発行を行ってもかまわない。
【００２２】
＜処方情報の登録＞
図２のフローに従って、処方情報の登録処理について説明する。
【００２３】
患者は、病院で発行された処方箋を持って調剤薬局を訪れる（Ｓ１１）。調剤薬局では、患者が提示した処方箋に従って薬を処方する（Ｓ１２）。このとき、調剤薬局のスタッフは、端末装置２０に患者の処方情報を入力し、薬服用リマインドシステム１０に送信する。例えば、処方箋の情報を含むＱＲコード（登録商標）が処方箋に印刷されているとき、このＱＲコードをスキャナーで読み取る（Ｓ１３）ことによって、処方情報を端末装置２０に入力する。そして、入力した処方情報を端末装置２０から薬服用リマインドシステム１０に送信する（Ｓ１４）。ＱＲコードは情報コードの一例であり、その他の情報コードを利用してもかまわない。
【００２４】
なおこの場合、送信される処方情報には、薬服用のリマインドのためには必要のない個人情報、例えば保険証番号などが含まれている。このため、後述するように、リマインド管理装置１１では、送信された処方情報から不要な個人情報を破棄する処理を行うのが好ましい。あるいは、端末装置２０において、薬服用のリマインドのためには必要のない個人情報を除いた後に、処方情報を薬服用リマインドシステム１０に送信するようにしてもかまわない。
【００２５】
また、情報コードを利用する代わりに、例えば、調剤薬局のスタッフが処方箋に記載されていた処方情報を、端末装置２０に手入力してもかまわない。この場合は、予め不要な個人情報は端末装置２０に入力しないようにしておけば、後で個人情報を破棄する処理は不要になる。
【００２６】
薬服用リマインドシステム１０は、リマインド管理装置１１が、端末装置２０から送信された処方情報を受信する（Ｓ１５）。リマインド管理装置１１は、受診した処方情報から、個人情報の全てまたは一部、例えば、薬服用のリマインドのためには不要な保険証番号などを破棄する（Ｓ１６）。そして、仮キーをランダムに発生させ（Ｓ１７）、処方情報を仮キーと関連付けて仮登録する（Ｓ１８）。この仮登録では、リマインド管理装置１１は例えば、仮キーをファイル名とし、薬品情報および服用情報を含む処方情報が記載されているテキストファイルを作成し、非公開領域に一時保管する。
【００２７】
処方情報を仮登録した後、リマインド管理装置１１は、ＱＲコードを発行する（Ｓ１９）。このＱＲコードは、仮キーと、当該薬服用リマインドシステム１０へのメール送付用のアドレスとを含んでいる。発行されたＱＲコードはネットワーク１を介して端末装置２０に送信される。ＱＲコードは情報コードの一例であり、その他の情報コードを利用してもかまわない。端末装置２０は、リマインド管理装置１１から発行されたＱＲコードを受信し（Ｓ２０）、このＱＲコードを印刷または画面に表示する（Ｓ２１）。患者は、印刷または画面表示されたＱＲコードを、自分の情報機器２２を用いて読み取り（Ｓ２２）、仮キーを含む空メールを送信する（Ｓ２３）。
【００２８】
薬服用リマインドシステム１０は、リマインド管理装置１１が、患者の情報機器２２から送信された空メールを受信する（Ｓ２４）。そして、この空メールの送付元メールアドレスと、当該仮キーと関連付けて仮登録されている処方情報とを関連付ける（Ｓ２５）。そして仮キーを廃棄し（Ｓ２６）、処方情報を空メールの送付元メールアドレスと関連付けて、登録ＤＢ１２に登録する（Ｓ２７）。
【００２９】
図３は登録ＤＢ１２に登録された処方情報の一例である。図３に示すように、登録ＤＢ１２には、処方情報が患者のメールアドレスと関連付けて登録されている。この患者のメールアドレスは、上述の空メールの送付元メールアドレスである。図３の例では、処方された４種類の薬品について、薬品を特定する薬品情報としての医薬品コードと、服用情報としての用法用量とが登録されている。登録Ｎｏ．は登録された処方情報を一意に特定する番号である。このように本実施形態では、メールアドレス以外の個人情報は登録ＤＢ１２に登録されていないので、万一、登録ＤＢ１２の情報が外部に流出したとしても、個人情報漏洩の問題はほとんど生じない。
【００３０】
＜薬服用のリマインド処理＞
図４のフローに従って、薬服用のリマインド処理について説明する。
【００３１】
薬服用リマインドシステム１０は、処方情報が登録ＤＢ１２に登録された後、この処方情報に関連付けられた患者のメールアドレスに、リマインドサービスの利用開始登録を案内するメールを送信する（Ｓ３１）。この案内メールには、当該患者のマイページのＵＲＬアドレスの情報が含まれている。患者は、案内メールを受信すると（Ｓ３２）、案内メールに含まれたＵＲＬアドレスにアクセスし、マイページの画面を開いて利用開始登録を行う（Ｓ３３）。
【００３２】
図５はマイページの画面例である。まず、図５の左上に示す＜マイページ＞の本画面が表示される。この画面では、処方された薬品名と、服用する数量および服用するタイミングの一覧が表示される。ここで、図３の処方情報における薬品１−薬品４は、それぞれ、薬品名「ツロテロール」「ロキソベリン」「ミクドキート」「カッタテンス」（いずれも架空の名前）に対応している。なお、薬品３「ミクドキート」は発熱時に服用する薬なので、マイページの画面では「時間をお知らせできないお薬」として表示されている。
【００３３】
患者は、リマインドサービスを利用する薬を変えたいときは、図５の右上の＜利用薬品選定＞画面を開き、各薬品について服用を通知するかしないかを適宜変更する。また、リマインドサービスを開始する場合には、図５の左下に示す画面に示すように、患者自身以外の人にも通知メールを送信するか否かの設定が可能になっている。患者自身以外の人にも通知メールを送信する場合には、図５の右下に示す＜複数利用者設定＞画面を開き、通知メールの送信を希望するメールアドレスを新たに登録する。ここでは、家族のメールアドレスが登録されたものとする。
【００３４】
患者の利用開始登録が完了すると、薬服用リマインドシステム１０において、リマインド管理装置１１は、リマインド情報を設定する。その際に、患者の利用開始登録において、患者以外のメールアドレスが登録されている場合は、そのメールアドレスに利用確認メールを送信する（Ｓ３４）。利用開始登録においてメールアドレスが登録された家族は、自分の情報機器２４で利用確認メールを受信すると、これに返信する形で利用承認メールを薬服用リマインドシステム１０に送信する（Ｓ３５）。リマインド管理装置１１は、利用承認メールを受信した（Ｓ３６）後に、リマインド情報を設定する（Ｓ３７）。リマインド情報には、服用を通知する対象となる薬品を特定する情報や、服用通知メールを送信するメールアドレス等が含まれる。
【００３５】
図６（ａ），（ｂ）はリマインド情報の一例であり、いずれも登録Ｎｏ．によって図３の登録処方情報に紐付けされている。図６（ａ）は図３の処方情報に含まれた各薬品１−４について、服用を通知するか否かを特定する情報である。図６（ａ）の例では、薬品１「ツロテロール」および薬品４「カッタテンス」が服用通知の対象として特定されている。図６（ｂ）は図３の処方情報に関する服用通知メールの送信先のメールアドレスを特定する情報である。メールアドレス１は患者自身のメールアドレスであり、メールアドレス２は患者がマイページ画面で登録した家族のメールアドレスである。なお、通知１，２は、メールアドレス１，２への服用通知メールの送信を有効にするか無効にするかを設定する情報である。
【００３６】
リマインド管理装置１１は、リマインド情報の設定が終了すると、患者の情報機器２２に登録完了メールを送信する（Ｓ３８）。患者は、登録完了メールを受信すると（Ｓ３９）、例えばメールに表示されたＵＲＬアドレスをクリックすることによって、リマインドサービスの利用開始を承認する（Ｓ４０）。この承認を受けて、薬服用リマインドシステム１０は患者に対する薬服用リマインドサービスを開始する（Ｓ４１）。このとき、患者以外の人のメールアドレスが登録されている場合は、その人に利用開始メールを送信する（Ｓ４２）。
【００３７】
図７（ａ）は患者に送信する登録完了メールの例である。服用を通知する薬として、「ツロテロール」「カッタテンス」が明示されており、また利用開始を承認するためのＵＲＬアドレスが表示されている。また、図７（ｂ）は患者以外の人に送信する利用開始メールの例である。
【００３８】
患者に対してリマインドサービスが開始されたとき、リマインド管理装置１１は、図３に示すような処方情報と図６に示すようなリマインド情報に基づいて、当該患者に関するメール配信予約データを作成する。作成されたメール配信予約データはメール発行装置１３に送られる。
【００３９】
図８はメール配信予約データのデータ項目の一例である。図８の例では、薬品情報および服用情報を含むテキストデータが、薬品の服用通知日時毎、および、メールアドレス毎に、メール配信予約データとして生成されるものとしている。付帯情報としては、例えば、薬の服用の仕方や注意事項などの情報を記載する。また、ファイル名は、ここでは服用を通知する日時としている。なお、服用を通知する日時は例えば、朝食後は午前６時、昼食後は午前１２時、夕食後は午後６時、就寝前は午後９時、というように予め設定しておけばよい。あるいは、マイページ画面から服用通知時刻を設定可能にしておき、設定後の服用通知時刻をリマインド情報の１つとしてリマインド管理装置１１が管理するようにしてもかまわない。
【００４０】
メール発行装置１３はメール配信予約データに従って、各患者に服用通知メールを配信する（Ｓ５１）。また、メールアドレスが登録されている患者以外の人にも服用通知メールを配信する（Ｓ５２）。患者は服用通知メールを受信すると（Ｓ５３）、薬を服用し、例えばメールに表示されたＵＲＬアドレスをクリックすることによって、薬の服用を完了したことを通知する（Ｓ５４）。リマインド管理装置１１は、服用完了を確認すると、メールアドレスが登録されている患者以外の人に、服用完了メールを配信する（Ｓ５５）。服用完了メールを受信する（Ｓ５６）ことによって、家族などは患者が薬の服用を完了したことを確認することができる。このような処理が、登録された処方情報およびリマインド情報に従って、繰り返し実行される。
【００４１】
図９（ａ）は患者に送信する服用通知メールの例である。昼食後に「ツロテロール」を３錠服用することが示されており、服用完了を通知するためのＵＲＬアドレスが表示されている。また、図９（ｂ）は患者以外の人に送信する服用通知メールの例であり、図９（ｃ）は患者以外の人に送信する服用完了メールの例である。
【００４２】
以上のように本実施形態によると、薬服用リマインドシステム１０では、処方情報を患者のメールアドレスと関連付けて登録ＤＢ１２に登録する処理が、仮キーを媒介にして行われる。したがって、登録処理の過程で仮に処方情報が漏洩したとしても、この処方情報に関わる個人が特定される可能性はなく、処方情報のセキュリティは保たれる。
【００４３】
さらに、処方箋に印刷されたＱＲコードから処方情報を読み取る場合であっても、薬服用リマインドシステム１０において個人情報が破棄して仮登録されるので、処方情報のセキュリティは保たれる。
【００４４】
また、本実施形態によると、薬服用リマインドシステム１０は、マイページにおいて患者以外の人のメールアドレスに服用通知メールを配信するよう設定されたとき、このメールアドレスに利用確認メールを送信し、利用承認メールが返信されたとき、服用通知メールを送信するメールアドレスとしてリマインド情報に登録する。これにより、薬の服用通知メールが、患者自身が許可した患者以外の人にも通知されることになり、患者の薬の服用状況について、プライバシーを保護しつつ、患者の家族や介護者などで情報共有することが容易になる。
【００４５】
さらに、患者自身が許可した患者以外の人に、患者が薬を服用したことが通知されるので、患者の薬の服用状況について、プライバシーを保護しつつ、患者の家族や介護者で情報共有することが容易になる。また、リマインドサービスを利用する薬品を選択することができるので、患者の利便性が高い。
【００４６】
なお、薬服用リマインドシステム１０は、薬服用の実績をログとして記録しておいてもかまわない。この薬服用実績ログを、患者や患者以外の家族や介護者が参照することによって、患者の状態について情報共有することができる。また例えば、利用開始登録時に、メールアドレスを登録した家族や介護者について、薬服用実績ログの参照を許可するか否かを設定できるようにしてもかまわない。
【産業上の利用可能性】
【００４７】
本発明では、患者の薬の服用状況について、プライバシーを保護しつつ患者の家族や介護者で情報共有することが容易になり、また、処方情報のセキュリティが保たれるので、例えば、利用者にとって利便性が高く、安心感のある薬服用リマインドサービスを提供するのに有効である。
【符号の説明】
【００４８】
１０  薬服用リマインドシステム
１１  リマインド管理装置
１２  登録データベース
１３  メール発行装置
２０  端末装置
２２  患者の情報機器
２４  家族・介護者の情報機器
【図１】
2015207071.tif 000003
【図２】
2015207071.tif 000004
【図３】
2015207071.tif 000005
【図４】
2015207071.tif 000006
【図５】
2015207071.tif 000007
【図６】
2015207071.tif 000008
【図７】
2015207071.tif 000009
【図８】
2015207071.tif 000010
【図９】
2015207071.tif 000011